(57)【要約】【課題】工事の進捗状況に合わせて迅速かつ柔軟に表示板を移動し設置することができ、表示板及び表示板取り付け体を小型化して表示板自体が視認者の視界を遮ることの少ない表示板固定具を提供する。【解決手段】路面を区画する縁石上に固定され、表示板１３を固定する表示板固定具であって、上記縁石の延長方向に沿って固定される複数の脚部２ａ乃至２ｄと、該複数の脚部に懸架される表示板保持部１ａ，１ｂとを備え、上記脚部が縁石を狭持することにより固定される構成とした。【選択図】図１
0003130905.tif 000002
【実用新案登録請求の範囲】
【請求項１】
車道と歩道とを区画する縁石上に設置され、表示板を固定する表示板固定具であって、表示板を保持する表示板保持部と、脚部とを備え、上記脚部が縁石を両側面から狭持することにより固定されることを特徴とする表示板固定具。
【請求項２】
車道と歩道とを区画する縁石上に設置され、表示板を固定する表示板固定具であって、上記縁石の延長方向に沿って固定される複数の脚部と、該複数の脚部に懸架される表示板保持部とを備え、上記脚部が縁石を両側面から狭持することにより固定されることを特徴とする表示板固定具。
【請求項３】
上記脚部は、縁石の一方の側面と他方の側面に当接し、一方の側面に当接する脚部と他方の側面に当接する脚部とが縁石の幅方向の長さと略同一距離離間され、一方の脚部と他方の脚部とが縁石の両側面を狭持することにより、固定されることを特徴とする請求項１又は請求項２に記載の表示板固定具。
【請求項４】
上記表示板保持部は、上記複数の脚部に懸架される複数の支持フレームと、該複数の支持フレームに沿って形成されるガイド部とを備え、表示板が該ガイド部に沿って案内され保持されることを特徴とする請求項２又は請求項３に記載の表示板固定具。
【請求項５】
上記表示板保持部は、受け止め部を備え、該受け止め部が上記ガイド部により案内された表示板の底面を保持し、上記ガイド部と該受け止め部とにより表示板の側面と底面とを保持することを特徴とする請求項４に記載の表示板固定具。
【請求項６】
上記脚部には、グリップキャップが被着されたことを特徴とする請求項１乃至請求項５に記載の表示板固定具。
【考案の詳細な説明】
【技術分野】
【０００１】
本考案は、歩道上に簡易に設置できる表示板固定具に関する。
【背景技術】
【０００２】
従来、道路工事現場や工事現場の出入り口付近等においては、作業用車両や歩行者等に注意を喚起する表示として「段差あり」や「工事中」等の文字を付した表示板を付近の防護フェンスに紐等により固定し或いは、杭を用いて土中に打ち込むことによりいわゆる立て看板として設置する等の手段がとられていた。
しかし、フェンスに固定する方法や、土中に杭を埋設し立て看板として表示する方法では、実際の現場の周辺環境に十分対応し得るものとは言えず採用し難いという問題点があった。
そこで近年においては、道路上のガードレールの表裏面やガードレールの支柱等を利用して板材を用いて挟み付けることにより基部を構成し、該基部を土台としてガードレールの上方まで突出する取り付け体を設け、該取り付け体に所望の表示が付された表示板を差し込むことにより表示内容を作業車両や歩行者に視認させるものが提案されている。
【特許文献１】実用新案登録第３０７０７５２号
【特許文献２】実用新案登録第３０７０７４５号
【０００３】
しかし、実際の工事現場においては、工事の進捗状況に合わせて表示板を設置すべき場所が刻々と変化するため、その時々に合わせ設置場所を変更する必要があり、既設のガードレールを利用してボルト等により取り付け体を固定し、取り付け体に表示板を取り付ける従来の方法では、設置場所を変更する度にガードレールから基部や取り付け体を取り外し、再び新たな設置場所となるガードレールにボルト等により固定する作業が著しく煩雑となる。
また、上記取り付け用具は、ガードレール上方まで突出する取り付け体を設け、該取り付け体に幅広な表示板を差し込む構成であるため、歩道上を通行する歩行者や車道を走行する車両の運転席から表示板を視認した場合には、表示板よりも後方の視界を遮り易く表示板自体が死角を作る原因ともなり得る。
【考案の開示】
【考案が解決しようとする課題】
【０００４】
解決しようとする課題は、工事の進捗状況に合わせて迅速かつ柔軟に表示板を移動し設置することができない点、表示板及び表示板取り付け体の大型化により表示板自体が視認者の視界を遮り易いという点である。
【課題を解決するための手段】
【０００５】
本考案は、第一の構成として車道と歩道とを区画する縁石上に設置され、表示板を固定する表示板固定具であって、表示板を保持する表示板保持部と、脚部とを備え、上記脚部が縁石を両側面から狭持することにより固定される構成とした。
本構成によれば、脚部が縁石を狭持することにより、縁石への取り付け・取り外しを容易に行うことができる。
本考案は、第二の構成として車道と歩道とを区画する縁石上に設置され、表示板を固定する表示板固定具であって、上記縁石の延長方向に沿って固定される複数の脚部と、該複数の脚部に懸架される表示板保持部とを備え、上記脚部が縁石を両側面から狭持することにより固定される構成とした。
本構成によれば、縁石上に固定される複数の脚部を有し、該脚部に懸架された表示板保持部を備えたことにより、縁石に強固に取り付けることができるとともに、表示板が表示板保持部に取り付けられた際に視認者の視界を遮ることの少ない表示板固定具を得ることができる。
第三の構成として、上記脚部が、縁石の一方の側面と他方の側面に当接し、一方の側面に当接する脚部と他方の側面に当接する脚部とが縁石の幅方向の長さと略同一距離離間され、一方の脚部と他方の脚部とが縁石の両側面を狭持することにより、固定される構成とした。
本構成によれば、縁石の延長方向に沿って固定される脚部が、縁石の幅方向の長さと略同一距離離間されたことにより縁石が脚部間に嵌りこみ、脚部が縁石の側面を挟みつけることにより表示板固定具を縁石に対して強固に固定することができる。
第四の構成として、上記表示板保持部が、上記複数の脚部に懸架される複数の支持フレームと、該複数の支持フレームに沿って形成されるガイド部とを備え、表示板が該ガイド部に沿って案内され保持される構成とした。
本構成によれば、表示板の側面がガイド部によって案内され保持されることにより表示板を適切に位置決めでき、表示板の着脱を容易に行う事ができる。
第五の構成として、上記表示板保持部が、受け止め部を備え、該受け止め部が上記ガイド部により案内された表示板の底面を保持し、上記ガイド部と該受け止め部とにより表示板の側面と底面とを保持する構成とした。
本構成によれば、表示板の側面を案内・保持するガイド部と、表示板の底面を保持する受け止め部により、表示板がその周縁を取り囲むように保持され、表示板を適切に位置決めでき、取り外しを容易に行う事ができるとともに表示板を強固に保持することができる。
第六の構成として、上記脚部には、グリップキャップが被着された構成とした。
本構成によれば、縁石の側面を脚部が挟み付けた状態において脚部の表面と縁石側面との摩擦抵抗が増大し、表示板固定具が縁石から脱落することを効果的に防止することができる。
【考案を実施するための最良の形態】
【０００６】
図１は、本考案に係る表示板固定具の斜視図、図２は平面図、図３は使用状態を表す図、図４（ａ），（ｂ）は支持フレームとガイド部及び脚部連結部と受け止め部との接続状態を示す断面図、図５，図６は他の実施形態を表す図である。
本考案は、図３に示すように例えば路面上の歩道と車道とを区画する一般に縁石とよばれる段差を利用して固定される表示板固定具である。
図１において、表示板固定具Ｐは、支持フレーム１ａ，１ｂと、支持フレーム１ａ，１ｂの両端部を折曲して形成された脚部２ａ乃至脚部２ｄと、支持フレーム１ａ，１ｂの折曲部７同士を連結する頂部連結部３と、支持フレーム１ａ，１ｂの折曲部９同士を連結する裾部連結部４とを備える。
支持フレーム１ａ，１ｂには各フレームの延長方向に沿うようにガイド部５が設けられ、裾部連結部４には、その延長方向に沿って受け止め部６が設けられる。上記何れの部材においても材質は合成樹脂、金属性部材等加工が容易なものを選択すればよく、一の材質に限定されるものではない。
以下、各構成について詳説する。
【０００７】
支持フレーム１ａ，１ｂは、図１に示すように中点である折曲部７を頂点として、逆Ｖ字状に延長し、一方の辺と他方の辺とが、例えば同一長さに設定される。
なお、一方の辺と他方の辺とを異なる長さに設定すれば設置路面Ａに対する傾斜角度を任意に変更できる。
支持フレーム１ａ，１ｂの両端には該フレームの両端を折曲することにより脚部２ａ乃至２ｄが形成される。
脚部２ａ乃至２ｄは、逆Ｖ字状に形成された支持フレーム１ａ，１ｂの両端から屈曲して設置路面Ａに向かって傾斜しつつ延長する部材であって、支持フレーム１ａ，１ｂの長さよりも短尺に設定される。
また、脚部２ａ乃至２ｄは、上記のように支持フレーム１ａ，１ｂと一体に形成されるものであっても良いし、脚部２ａ乃至２ｄを別部材として形成し、支持フレーム１ａ，１ｂの端部に溶接等により接合しても良い。
【０００８】
図１及び図２に示すように、逆Ｖ字状に折曲された支持フレーム１ａ及び１ｂは、逆Ｖ字の頂点にあたる折曲部７同士が頂部連結部３によって互いに平行となるように連結される。
また、支持フレーム１ａ及び１ｂは、頂部連結部３よりも下方に位置し、脚部２との折曲点である折曲部９同士が裾部連結部４により互いに連結される。
上記頂部連結部３と裾部連結部４が形成されたことにより、本考案に係る表示板固定具Ｐは、図２に示す如く頂部連結部３と、折曲部７から同一長さ延長する支持フレーム１ａ，１ｂとを共通の辺として、裾部連結部４が折曲部９同士を連結することにより、頂部連結部３及び裾部連結部４を短辺とし、支持フレーム１ａ及び１ｂを長辺とする矩形の枠体１１ａ，１１ｂが形成される。
なお、上記頂部連結部３と裾部連結部４は後述する脚部２の離間長さＬ（図３参照）と同一の長さであることが望ましいがこれに限定されるものではなく、両辺を異なる長さとして、枠体１１ａ，１１ｂを矩形以外の形状となるように設定しても良い。
【０００９】
図３において脚部２ａと２ｂとは固定される縁石１０の上面幅方向の長さと略同一の長さＬ離間される。また、脚部２ｃと脚部２ｄとは上面幅方向の長さと略同一長さＬ離間される。例えば、長さＬは一般的な既設の縁石の幅である２２０ｍｍ程度に設定される。
上記のように縁石を挟んで対向する脚部間の距離を縁石１０の幅方向の長さと略同一となるように離間して脚部２ａ乃至２ｄを設けたことにより、脚部２ａと脚部２ｂ及び脚部２ｃと脚部２ｄとが縁石１０の側面１０ａと側面１０ｂとを挟みつけ、縁石１０が上記脚部間に嵌りこむ格好となり、本考案に係る表示板固定具Ｐは縁石１０上に強固に固定される。
【００１０】
図１及び図２に示すように、枠体１１ａの内側には、ガイド部５及び受け止め部６が複数の取り付け片１２ａ，１２ｂや１２ｃを介して接合される。
図４に示すように、取り付け片１２ａと１２ｂは、支持フレーム１ａ及び１ｂ外周面上から枠体１１ａの内側に向かって水平に突出し、図１，図２に示すように一方の支持フレームである１ａに設けられた取り付け片１２ａと、これに向かい合う他方の支持フレーム１ｂに設けられた取り付け片１２ｂとが同一位置となるように各支持フレームの延長方向に沿って複数箇所形成される。
取り付け片１２ｃは、裾部連結部４に沿って形成され裾部連結部４の外周面上から頂部連結部３の方向に向かって突出する片であって、裾部連結部４に複数箇所形成される。
なお、取り付け片１２ａ乃至１２ｃは支持フレーム１ａ，支持フレーム１ｂ及び裾部連結部４に対して一箇所ずつ形成する態様でも良く、その数は上記実施例に限定されるものではない。
【００１１】
ガイド部５は、支持フレーム１ａ，１ｂに対してその延長方向に沿って設けられた上記取り付け片１２ａ，１２ｂを介して接合され、裾部連結部４近傍から頂部連結部３近傍まで延設される。
ガイド部５は、図４（ａ）に示す如く、取り付け片１２ａ（ｂ）と接合され、表示板１３が取り付けられたときに側面１３ｃと当接する側片５ｃと、側片５ｃの上端から枠体１１ａの内側に向かって直角に延長し、表示板１３が取り付けられたときに表示板１３の表面１３ａと当接する表片５ａと、側片５ｃの下端から枠体１１ａ（ｂ）の内側に向かって直角に延長し、表示板１３が取り付けられたときに表示板１３の裏面１３ｂと当接する裏片５ｂとからなる断面コ字状の部材である。
即ち、表示板１３側面の周縁は、表片５ａと裏片５ｂと側片５ｃとにより狭持保持される。
【００１２】
受け止め部６は、裾部連結部４に対してその延長方向に沿って設けられた上記取り付け片１２ｃを介して接合され、ガイド部５の下端同士を連結する如く延設される。
受け止め部６は、図４（ｂ）に示す如く取り付け片１２（ｃ）と接合され、表示板１３が取り付けられたときに表示板１３の底面１３ｄと当接する底片６ｃと、表面１３ａと当接する表片６ａと、表示板１３の裏面１３ｂと当接する裏片６ｂとからなる断面コ字状の部材である。
即ち、受け止め部６の底面の周縁は、表片６ａと裏片６ｂと底片６ｃとにより狭持保持される。
【００１３】
上記のように枠体１１（ａ）の内側にガイド部５と受け止め部６とによりなるコの字状の表示板保持体１４を設けたことにより、表示板を取り付けたときに表示板１３の周縁がガイド部５と受け止め部６とにより適切に保持され、安定した表示板固定具Ｐを得ることができる。以下、図１及び図３を参照し、本考案の使用方法について説明する。
【００１４】
図３は、本考案に係る表示板固定具Ｐが、路面上の歩道側と車道側とを区画する縁石１０に設置された状態を表す図である。
同図に示すように、表示板固定具Ｐは支持フレーム１ａ，１ｂの両端から延長する脚部２ａと２ｂ及び脚部２ｃと２ｄが縁石１０の側面１０ａ，１０ｂに当接し、縁石の側面１０ａ，１０ｂを挟みつけることにより固定状態を維持する。
従って、縁石１０上に設置する際には、歩道側の脚部２ａ及び２ｃと車道側の脚部２ｂ及び２ｄとをやや押し広げるように縁石１０の歩道側側面１０ａ，１０ｂに当接させ、上方からさらに押し込むことによって、長さＬの間に縁石１０の両側面が嵌りこむ形態となり、強固に固定状態が維持される。
【００１５】
このように本考案に係る表示板固定具Ｐは、縁石上に設置する際にボルト等の固定具を何ら用いることなく容易に固定できるため、設置及び撤去作業を迅速に行うことができる。
【００１６】
なお、設置方法については、上記方法に限定されるものではなく、縁石１０を挟んで向かい合う脚部２ａと２ｂ及び脚部２ｃと２ｄに縁石１０の両側面１０ａ，１０ｂが挟みこまれる形態とできれば如何なる設置方法でもよい。
また、図３においては、脚部２ａ乃至脚部２ｄの先端部が設置路面Ａに当接していないが、脚部の長さを適宜変更することにより脚部２ａ乃至脚部２ｄの先端部を設置路面Ａに当接させ安定を図るようにしてもよい。
【００１７】
次に、図１及び図３を用いて縁石１０上に表示板固定具Ｐを設置した状態における表示板１３の取り付け方法を説明する。表示板１３は、表面上に「段差あり」、「工事中」、「注意」等、歩行者や運転者に注意を喚起する表示が付された矩形の盤体である。
表示板１３を取り付ける際には、表示板１３の下側の角部１３ａ，１３ｂを頂部連結部３側から矢印の方向に近接させ、ガイド部材５の先端５ｅ，先端５ｆに当接するように位置決めした後、ガイド部を構成する表片５ａと裏片５ｂとの隙間Ｈに表示板１３を差し込むことによりガイド部５が表示板１３の側面の周縁をガイド部５の下方まで案内して、受け止め部６が表示板１３の底面の周縁を受け止め、表示板１３の側面及び底面の周縁がガイド部と受け止め部とにより取り囲まれるように強固に保持される。
【００１８】
本構成によれば、表示板１３が何らの固定具を用いることなく枠体１１ａの内側に取り付けられた表示板保持体１４によって保持され、表示板１３を表示板保持具１４に差し込むだけの簡易な構成であるため、容易に表示板１３の内容を変更できる。
また、表示板固定具Ｐが縁石上に設置された場合に、表示板が縁石の幅よりもはみ出すことがなく、視認者の死角を作り出すことの少ない表示板固定具を得ることができる。
なお、表示板保持体１４は、枠体１１ａのみに設けるのではなく、他方の枠体１１ｂに設けてもよく、枠体１１ａ，１１ｂの両方に表示板１３を取り付ける構成としてもよい。
【００１９】
図５（ａ）において表示板固定具Ｐは、脚部２ａ乃至脚部２ｄにゴム、ポリウレタン等の摩擦抵抗の大きい部材からなるグリップキャップ８ａ乃至８ｄを備える。
グリップキャップ８ａ乃至８ｄは脚部２ａ乃至２ｄの下端部から折曲部９近傍までの周面全体を被うキャップであり、脚部２ａ乃至脚部２ｄの表面に接着剤を塗布すること等により被着される。
本構成からなる表示板固定具Ｐによれば、脚部２ａ乃至脚部２ｄが縁石１０の側面を挟み込んだ状態において、側面１０ａ，１０ｂとの摩擦抵抗が増大するため、表示板固定具Ｐが風圧や振動等により縁石１０から脱落することを効果的に防止することができる。
【実施例１】
【００２０】
図５（ｂ）は、本考案に係る他の実施形態を示す。なお、以降の実施例において最良の形態と同一の部材については同一符号を用いる。
上記最良の実施形態と比して本実施形態では、図１の裾部連結部４に形成された受け止め部６を排した形態であり、ガイド部５の下端を底片５ｈで閉鎖する。
本実施形態によっても、表示板の側面をガイド部５で下方まで案内し、ガイド部５の表片５ａ，裏片５ｂ，底片５ｈが表示板１３の側面及び角部１３ｄ，１３ｅの周縁を適切に保持することができる。
よって、部品点数、生産工程を削減した簡易な構成の表示板固定具Ｐを作成することが可能となる。
【実施例２】
【００２１】
図６は、本考案に係る他の実施形態を示す。
本実施例における表示板固定具Ｐは、支持フレーム２０ａ及び２０ｂと、該支持フレームと一体に形成された脚部２１ａ乃至脚部２１ｄと、支持フレーム２０ａと２０ｂとを連結する裾部連結部４と、支持フレーム２０ａ及び２０ｂに取り付け片１２ａ，１２ｂを介して取り付けられた表示板保持体１４とを備える。
上記最良の形態とは異なり、脚部２１ａ乃至脚部２１ｄは、フレーム２０ａ，フレーム２０ｂと折曲部を介することなく一体に形成され、設置面Ａに対して弓なり（逆Ｕ字形状）となるように形成される。
また、支持フレーム２０ａと支持フレーム２０ｂとは裾部連結部４によって互いに平行に連結される。裾部連結部４は、縁石の幅方向の長さと略同一長さに形成され、脚部２１ａと脚部２１ｂとの距離Ｌ、脚部２１ｃと脚部２１ｄとの距離Ｌを確保する。
表示板保持体１４は、取り付け片１２ａ乃至１２ｃを介して支持フレーム２０ａ，２０ｂ及び裾部連結部４に取り付けられる。
なお、取り付け片１２ａ乃至１２ｂは最良の形態に示すように、支持フレーム２０ａ，２０ｂに沿うように複数設けられてもよい。
また、図示は省略するが支持フレーム２０ａ，２０ｂの中間同士を連結する最良の形態における頂部連結部３に対応する部材を設け、支持フレーム２０ａ，２０ｂの中間点同士を連結してもよい。
本構成の表示板固定具Ｐによれば脚部間の距離Ｌを確保しつつ、折曲部を有さない弓なり（逆Ｕ字形状）の支持フレーム２０ａ，２０ｂと脚部２１ａ乃至脚部２１ｄを一体に形成したので、最良の形態における効果を維持しつつ部品点数、生産工程を削減した表示板固定具Ｐを得ることができる。
【実施例３】
【００２２】
図７は、本考案に係る他の実施形態を表す。
本実施例において本考案に係る表示板固定具Ｐは、脚部フレーム３０と該脚部フレーム３０の両側を折曲してなる脚部３０ａ，３０ｂとを備えた狭持体４０と、支持フレーム３１と、支持柱３２と、ガイド部３３とを備える。
狭持体４０は、脚部フレーム３０の両端を折曲してなる部材であって、脚部フレーム３０と脚部３０ａ，３０ｂとによりコ字状に形成され、縁石上に１対配置される。また、両脚部間は縁石の幅と略同一距離Ｌ離間される。
上記脚部３０ａ，３０ｂを備えたことにより、脚部３０ａ，３０ｂは縁石の側面を狭持することが可能となり、表示板固定具Ｐは縁石上に強固に設置される。
【００２３】
支持フレーム３１は、１対の狭持体４０同士を脚部フレーム３０の中間にて連結する部材である。支持フレーム３１により一対の狭持体４０は、縁石の延長方向に沿って縁石を跨ぐように配列され、一対の狭持体４０が縁石の側面を狭持する。
また、支持フレーム３１の中間部には、支柱３２が立設される。
支持柱３２は、支持フレーム３１から垂直又は一定の傾斜を有して上方に延長する。該支柱３２には、支持フレーム３１の延長方向と直交する方向に延長するガイド部３３が図外の止めネジ等により取り付けられる。
ガイド部３３は、上記支柱３２の上端部にＴ字状に取り付けられ、中間部及び下端部近傍に十字状に配設される部材であって、各ガイド板３３の間隔は例えば等しく設定される。
なお、ガイド部３３の取り付け位置や枚数、取り付け間隔は適宜変更が可能であって上記例に限定されるものではない。
【００２４】
ガイド部３３は、両端が折曲されて形成されたガイド機構３３ａ，３３ｂを備える。ガイド機構３３ａ，３３ｂは、ガイド部３３の両端を直角に折り返し、コ字状となるように形成される。
なお、ガイド機構３３ａ，３３ｂは上記のようにガイド部３３の両端を折曲して形成するものに限定されず、コ字状のガイド片を別体として構成し、溶接等により取り付ける構成としても良い。
ガイド機構３３ａ，３３ｂは、破線で示す表示板１３の表面、裏面及び側面即ち表示板１３の周縁の一部を保持するものである。表示板１３は、支柱３２の上端部に取り付けられたガイド部３３のガイド機構３３ａ，３３ｂにより、中間部のガイド部３３、下端部近傍のガイド部３３の順に下方へ案内され各ガイド機構３３ａ，３３ｂにより表示板１３の周縁が狭持保持される。
【００２５】
本構成の表示板固定具Ｐによれば、脚部フレーム３０と脚部３０ａ，３０ｂとを備える狭持体４０を一の支持フレーム３１により連結し、支持フレーム３１上にポール体３２を介して取り付けられたガイド部３３を備える構成としたので最良の形態における効果を維持しつつ、部品点数を減少させ、さらには軽量化を図ることができる。
【実施例４】
【００２６】
図８及び図９は、本考案の他の実施形態を示す。本実施形態における表示板固定具Ｐは、最良の形態と比較した場合、支持フレームの一方のみ（図示では支持フレーム１ｂ）に脚部２ｂ，２ｄを設け、他方の支持フレーム（図示では支持フレーム１ａ）は脚部を備えず、取り付け盤５０を備える構成である。
【００２７】
取り付け盤５０は、図９（ａ），（ｂ）に示す如く枠体１１ａの外側に水平に突出し、段差面１１の長さ方向に延長する長尺な盤体であり（図９（ｂ）参照）、支持フレーム１ａに形成された一方の連結部５２と他方の連結部５２とに水平に懸架される。
また、取り付け盤５０は、表裏面に貫通する孔５１が４箇所設けられる。以下本実施例に係る表示板固定具Ｐの設置方法について詳説する。
【００２８】
図９に示す如く表示板固定具Ｐは、側面１２と脚部２ｂとが当接され、取り付け盤５０が段差面１１に対して当接される。このような状態において、設置者が、図外のハンマ等によりピン５４を取り付け盤５０に複数設けられた孔５１を介して段差面１１に打ち込むことにより取り付け盤５０と脚部２ｂとが、段差面１１及び側面１２とをＬ字状に囲む如く保持し、表示板固定具Ｐが強固に固定される（図９（ａ）参照）。
【００２９】
本構成の表示板固定具Ｐによれば、一対の支持フレームの内、一方の支持フレーム１ａ（１ｂ）に形成された脚部２ａ乃至２ｄにかえて、取り付け盤５０を設けたことにより、縁石が最良の形態における離間長さＬよりも幅広の場合や歩道と車道が単に段差によって区画されている場合であっても強固に固定することができ、設置場所の周辺環境に柔軟に対応し得る表示板固定具Ｐを得ることができる。
【００３０】
図１０は、最良の形態及び実施例１乃至３における脚部の拡大図である。
図１０（ａ）に示すように脚部２ａ（２ｃ）と脚部２ｂ（２ｄ）は、タップ孔６２を備え、タップ孔６２には締め付けボルト６０の先端部が縁石の側面に当接するまで螺入される。
これにより両脚部に螺入されたボルト６０の先端同士が縁石１０の側面を挟みつけ、表示板固定具Ｐを縁石上に強固に固定することができる。
図１０（ｂ）は、タップ孔６２に上記締め付けボルト６０よりも長尺なボルト６１が螺入された状態を表す。
これにより、一方の脚部２ｂ（２ｄ）に螺入されたボルト６１の先端と、他方の脚部２ａ（２ｃ）とが縁石の側面の両側を挟みつけ、表示板固定具Ｐを縁石上に強固に固定することができる。
【００３１】
本構成の表示板固定具Ｐによれば締め付けボルト６０，６１を用いて縁石側面を狭持することにより、既設の縁石の幅が脚部の離間長さＬよりも狭い場合であっても、最良の形態における効果を維持しつつ、縁石側面を強固に保持することができる。
【図面の簡単な説明】
【００３２】
【図１】表示板固定具の斜視図である（最良の形態）。
【図２】表示板固定具の平面図である（最良の形態）。
【図３】表示板固定具の使用状態を表す図である（最良の形態）。
【図４】ガイド部及び受け止め部の断面図である（最良の形態）。
【図５】表示板固定具の斜視図である（最良の形態）。
【図６】表示板固定具の斜視図である（実施例１）。
【図７】表示板固定具の斜視図である（実施例２）。
【図８】表示板固定具の斜視図である（実施例３）。
【図９】表示板固定具の平面図である（実施例４）。
【図１０】脚部の拡大図である（他の形態）。
【符号の説明】
【００３３】
１ａ，１ｂ  支持フレーム，２ａ乃至２ｄ  脚部，３  頂部連結部，
４  裾部連結部，５  ガイド部，６  受け止め部，８ａ乃至８ｄ  グリップキャップ，１０  縁石，１２ａ乃至１２ｄ，１３  表示板，１４  表示板保持体，２０ａ，２０ｂ  支持フレーム，３０  脚部フレーム，３１  支持フレーム，
３２  支柱，３３  ガイド部，５０  取り付け盤，５１  孔，５２  連結部，
６０，６１  締め付けボルト，６２  タップ孔。
【図１】
0003130905.tif 000003
【図２】
0003130905.tif 000004
【図３】
0003130905.tif 000005
【図４】
0003130905.tif 000006
【図５】
0003130905.tif 000007
【図６】
0003130905.tif 000008
【図７】
0003130905.tif 000009
【図８】
0003130905.tif 000010
【図９】
0003130905.tif 000011
【図１０】
0003130905.tif 000012